(57)【要約】【課題】  サーバと通信を行えない状況でも、チケット処理を行うことができるチケット処理方法およびプログラムを提供する。。【解決手段】  チケット処理システム１は、チケット購入者が、サーバ１５にアクセスを行って、チケットデータ（電子チケット）をチケット購入者携帯型端末装置１１にダウンロードする。そして、イベント会場で、チケット購入者携帯型端末装置１１の画面にチケット画像を表示し、画面上で電子もぎり処理を行うことで入場処理を行う。チケット購入者携帯型端末装置１１内に記憶された電子もぎりの情報は、サーバ１５と通信可能になったときに、サーバ１５に送信される。【選択図】図１
2014149556.tif 000002
【特許請求の範囲】
【請求項１】
チケットデータをサーバから携帯型端末装置にダウンロードする第１の工程と、
前記携帯型端末装置が、起動したチケット処理アプリケーションプログラムに、前記ダウンロードしたチケットデータを取り込む第２の工程と、
前記携帯型端末装置が、前記チケット処理アプリケーションプログラムに基づいて、前記チケットデータに応じた画像を画面表示する第３の工程と、
前記携帯型端末装置が、前記第３の工程で画像を表示した画面上で予め決められた所定の操作を検出すると、当該チケットデータの入場処理済みを示すようにステータスデータを更新するための処理を行う第４の工程と
を有するチケット処理方法。
【請求項２】
前記第４の工程においては、前記携帯型端末装置は、前記画面上でユーザの指の接触位置の移動経路が、予め決められた所定のパターンであると判断した場合に、前記所定の操作が行われたことを検出する
請求項１に記載のチケット処理方法。
【請求項３】
前記第４の工程においては、前記携帯型端末装置は、画面上のもぎり位置を指定するもぎり位置指示を入力すると、当該指定されたもぎり位置を示すもぎり位置データをメモリに記憶し、
当該記憶されたもぎり位置データを基に、画面上に表示されたチケット画像の被もぎり領域内で、前記所定のパターンの移動経路が存在することを検出すると、当該チケットデータの入場処理済みを示すように前記ステータスデータを更新ための処理を行い、
前記所定のパターンの移動経路が存在することを検出すると、画面上の前記被もぎり領域内の画像を、もぎり処理前の画像からもぎり処理後の画像に更新する
請求項２に記載のチケット処理方法。
【請求項４】
前記所定のパターンとして複数のパターンが規定され、当該複数のパターンの各々に前記もぎり処理後に表示する画像が対応付けられており、
前記第４の工程においては、前記携帯型端末装置は、検出した前記パターンに対応付けられた前記もぎり処理後の画像を表示する
請求項３に記載のチケット処理方法。
【請求項５】
前記携帯型端末装置は、
画面上の触れられた箇所の座標を検出するタッチパネルと、
前記タッチパネルで検出された座標を基に、入力操作を特定し、当該特定した入力操作に応じた処理を行う制御回路と
を有し、
前記タッチパネルで検出された２次元上の直交する２方向の第１の座標と第２の座標とで検出座標が規定されている場合に、
前記第４の工程において、前記制御回路は、
前記検出座標が、もぎり領域として規定された領域内に位置するか否かを判定する第１の処理と、
前記第１の処理で肯定判定の場合に、前記検出座標の前記第１の座標と前記第２の座標との双方が変化したか否かを判定する第２の処理と、
前記第２の処理で肯定判定の場合に、前記第１の座標が、前記タッチパネルの当該第１の座標が規定される方向の一端部の座標に最終的になったか否かを判定する第３の処理と、
前記第３の処理で肯定判定の場合に、前記第１の処理で最初に肯定判定となった前記検出座標が検出された第１のタイミングと、前記第３の処理で判定された前記第１の座標が前記一端部の座標になった第２のタイミングとの間に、所定の時間間隔に分割し、分割された時間間隔における前記検出座標の変化量を算出する第４の処理と、
前記第４の処理で算出した分割された全ての時間間隔における前記変化量が所定のしきい値を超えているか否かを判定する第５の処理と
前記第５の処理で肯定判定の場合に、もぎり操作として特定する第６の処理と
を実行する
請求項４に記載のチケット処理方法。
【請求項６】
前記チケットデータには、当該チケットデータの購入者の顔写真データが含まれており、
前記第３の工程において、前記携帯型端末装置は、前記チケット処理アプリケーションプログラムに基づいて、前記チケットデータに含まれる前記顔写真データを前記画面上の半券表示領域に表示する
請求項５に記載のチケット処理方法。
【請求項７】
前記第４の工程において、前記携帯型端末装置は、
前記画面上でユーザの指の接触位置の移動経路が、予め決められた複数の所定のパターンのいずれかであると判断した場合に、前記所定の操作が行われたことを検出し、
前記所定の操作が行われたと検出した場合に、検出対象のチケットデータに対応付けて、当該チケットデータに応じていずれの前記所定のパターンが検出されたかを記憶する
請求項６に記載のチケット処理方法。
【請求項８】
前記第１の工程で、前記チケットデータと共に、当該チケットデータに係るイベントに関連するコンテンツデータまたはコンテンツプログラムをサーバから携帯型端末装置にダウンロードし、
前記携帯型端末装置が、前記第３の工程で前記所定の操作を検出すると、前記ダウンロードされた前記コンテンツデータまたは前記コンテンツプログラムの使用履歴データを前記サーバに送信する処理を行う
請求項７に記載のチケット処理方法。
【請求項９】
画面上の触れられた箇所の座標を検出するタッチパネルと、前記タッチパネルで検出された座標を基に、入力操作を特定し、当該特定した入力操作に応じた処理を行う制御回路とを有する携帯型端末装置にダウンロードされるプログラムであって、
チケットデータをサーバから携帯型端末装置にダウンロードする第１の工程と、
前記ダウンロードしたチケットデータを取り込む第２の工程と、
所定の入力操作に応じて前記チケットデータに応じた画像を画面表示する第３の工程と、前記第３の工程で画像を表示した画面上で予め決められた所定の操作、あるいは所定の音声入力を検出すると、当該チケットデータの入場処理済みを示すようにステータスデータを更新する第４の工程と、
前記サーバと通信可能な状態で且つ所定の条件を満たしたと判断すると、前記ステータスデータを前記サーバに送信する第５の工程と
を前記携帯型端末装置の前記制御回路に実行させるプログラム。
【請求項１０】
前記タッチパネルで検出された２次元上の直交する２方向の第１の座標と第２の座標とで検出座標が規定されている場合に、
前記第４の工程は、
前記検出座標が、もぎり領域として規定された領域内に位置するか否かを判定する第１の処理と、
前記第１の処理で肯定判定の場合に、前記検出座標の前記第１の座標と前記第２の座標との双方が変化したか否かを判定する第２の処理と、
前記第２の処理で肯定判定の場合に、前記第１の座標が、前記タッチパネルの当該第１の座標が規定される方向の一端部の座標に最終的になったか否かを判定する第３の処理と、
前記第３の処理で肯定判定の場合に、前記第１の処理で最初に肯定判定となった前記検出座標が検出された第１のタイミングと、前記第３の処理で判定された前記第１の座標が前記一端部の座標になった第２のタイミングとの間に、所定の時間間隔に分割し、分割された時間間隔における前記検出座標の変化量を算出する第４の処理と、
前記第４の処理で算出した分割された全ての時間間隔における前記変化量が所定のしきい値を超えているか否かを判定する第５の処理と
前記第５の処理で肯定判定の場合に、もぎり操作として特定する第６の処理と
を前記制御回路に実行させる
請求項９に記載のプログラム。
【発明の詳細な説明】
【技術分野】
【０００１】
本発明は、イベント等のチケット発券処理等を行うチケット処理方法およびプログラムに関するものである。
【背景技術】
【０００２】
従来から、スマートフォンや携帯電話を使用したチケット発券システムが知られている。
従来のチケット発券システムでは、ユーザによるチケット購入処理によってチケットデータがスマートフォンにダウンロードされる。
そして、イベントの入場口において、スマートフォンの画面にＱＲコード（商標）が表示され、当該ＱＲコード（商標）をリーダで読み、読み出した情報をサーバに送信してサーバでチケットの有効性を確認処理を行う。
【発明の概要】
【発明が解決しようとする課題】
【０００３】
しかしながら、上述した従来のシステムでは、読み込んだＱＲコード（商標）の情報をサーバで確認処理をするため、スマートフォンがサーバと通信を行えない環境では使用できないという問題がある。
【０００４】
本発明はかかる事情に鑑みてなされたものであり、その目的は、サーバと通信を行えない環境でも、イベント会場への入場のチケット処理を行うことができるチケット処理方法およびプログラムを提供することにある。
【課題を解決するための手段】
【０００５】
上述した従来技術の問題点を解決し、上述した目的を達成するために、本発明のチケット処理方法は、チケットデータをサーバから携帯型端末装置にダウンロードする第１の工程と、前記携帯型端末装置が、起動したチケット処理アプリケーションプログラムに、前記ダウンロードしたチケットデータを取り込む第２の工程と、前記携帯型端末装置が、前記チケット処理アプリケーションプログラムに基づいて、前記チケットデータに応じた画像を画面表示する第３の工程と、前記携帯型端末装置が、前記第３の工程で画像を表示した画面上で予め決められた所定の操作、あるいは所定の音声入力を検出すると、当該チケットデータの入場処理済みを示すようにステータスデータを更新する第４の工程とを有する。
【０００６】
本発明のプログラムは、携帯型端末装置にダウンロードされてるプログラムであって、チケットデータをサーバから携帯型端末装置にダウンロードする第１の工程と、前記ダウンロードしたチケットデータを取り込む第２の工程と、所定の入力操作に応じて前記チケットデータに応じた画像を画面表示する第３の工程と、前記第３の工程で画像を表示した画面上で予め決められた所定の操作、あるいは所定の音声入力を検出すると、当該チケットデータの入場処理済みを示すようにステータスデータを更新する第４の工程と、前記サーバと通信可能な状態で且つ所定の条件を満たしたと判断すると、前記ステータスデータを前記サーバに送信する第５の工程とを前記携帯型端末装置の処理回路に実行させる。
【発明の効果】
【０００７】
本発明によれば、サーバと通信を行えない環境でも、イベント会場への入場のチケット処理を行うことができるチケット処理方法およびプログラムを提供することができる。
【図面の簡単な説明】
【０００８】
【図１】図１は、本発明の実施形態に係るチケット処理システムの概念図である。
【図２】図２は、図１に示すチケット処理システムの構成図である。
【図３】図３は、図２に示すチケット購入者携帯型端末装置の機能ブロック図である。
【図４】図４は、図２に示すサーバの機能ブロック図である。
【図５】図５は、第１実施形態における図１および図２に示すチケット処理システムの動作例を説明するためのフローチャートである。
【図６】図６は、もぎり処理時のチケット購入者携帯型端末装置の画面例を説明するための図である。
【図７】図７は、第２実施形態における図１および図２に示すチケット処理システムの動作例を説明するためのフローチャートである。
【図８】図８は、本発明の第３実施形態におけるもぎり位置を説明するための図である。
【図９】図９は、本発明の第４実施形態のもぎり操作検出処理を説明するためのフローチャートである。
【発明を実施するための形態】
【０００９】
以下、本発明の実施形態に係るチケット処理システムについて説明する。
＜第１実施形態＞
図１は、本発明の実施形態に係るチケット処理システム１の概念図である。
図２は、図１に示すチケット処理システム１の構成図である。
【００１０】
図１に示すチケット処理システム１は、チケット購入者が、サーバ１５にアクセスを行って、チケットデータ（電子チケット）をチケット購入者携帯型端末装置１１にダウンロードする。
そして、イベント会場で、チケット購入者携帯型端末装置１１の画面にチケット画像を表示し、画面上で電子もぎり処理を行うことで入場処理を行う。
チケット購入者携帯型端末装置１１内に記憶された電子もぎりの情報は、サーバ１５と通信可能になったときに、サーバ１５に送信される。
【００１１】
図２に示すように、チケット処理システム１は、例えば、チケット購入者携帯型端末装置１１、イベント作成者端末装置１３およびサーバ１５を用いて実現される。
【００１２】
チケット購入者携帯型端末装置１１は、チケット購入者が使用するスマートフォン、携帯電話等である。
イベント作成者端末装置１３は、イベント作成者が使用するパーソナルコンピュータや、スマートフォン等である。
サーバ１５は、チケット処理サービスを提供する事業者が使用するサーバである。
【００１３】
［チケット購入者携帯型端末装置１１］
図３は、図２に示すチケット購入者携帯型端末装置１１の機能ブロック図である。
チケット購入者携帯型端末装置１１は、図３に示すように、例えば、通信部２１、ディスプレイ２２、操作部２３、メモリ２４および処理回路２５を有し、これらがデータ線２０を介して接続されている。
【００１４】
通信部２１は、例えば、図２に示すサーバ１５と通信を行うために用いられる。
ディスプレイ２２は、処理回路２５が実行するプログラムＰＲＧが提供する様々な画面を表示する。ディスプレイ２２には、後述するようにもぎり処理を行うための画面や、クーポン券画面が表示される。
【００１５】
操作部２３は、ディスプレイ２２のタッチパネル機能、キーボードやマウス等の操作手段である。
メモリ２４は、処理回路２５が実行するプログラムＰＲＧ、処理回路２５の処理に用いられるデータを一時的に記憶する。
処理回路２５は、プログラムＰＲＧを実行して、チケット購入者携帯型端末装置１１のチケット関連処理を統括的に制御する。
本実施形態で示されるチケット購入者携帯型端末装置１１の処理は、プログラムＰＲＧに記述されている。
【００１６】
［サーバ１５］
図４は、図２に示すサーバ１５の機能ブロック図である。
サーバ１５は、図４に示すように、例えば、通信部１２１、ディスプレイ１２２、操作部１２３、メモリ１２４、処理回路１２５およびデータベース１２７を有し、これらがデータ線１２０を介して接続されている。
【００１７】
通信部１２１は、例えば、図２に示すチケット購入者携帯型端末装置１１およびイベント作成者端末装置１３と通信を行うために用いられる。
ディスプレイ１２２は、処理回路１２５が実行するプログラムが提供する様々な画面を表示する。
【００１８】
操作部１２３は、ディスプレイ１２２のタッチパネル機能、キーボードやマウス等の操作手段である。
メモリ１２４は、処理回路１２５が実行するプログラム、処理回路２５の処理に用いられるデータを一時的に記憶する。
処理回路１２５は、プログラムを実行して、サーバ１５のチケット関連処理を統括的に制御する。
【００１９】
以下、チケット処理システム１の動作例を説明する。
図５は、図１および図２に示すチケット処理システム１の動作例を説明するためのフローチャートである。
以下、各ステップを説明する。
ステップＳＴ１：
イベント作成者は、イベント作成者端末装置１３を操作してサーバ１５にアクセスを行い、自らのアカウントとパスワードをサーバ１５に登録する。
図４に示すサーバ１５の処理回路１２５は、イベント作成者の個人情報を、上記アカウントとパスワードと対応付けてデータベース１２７に記憶する。
【００２０】
ステップＳＴ２：
サーバ１５の処理回路１２５は、チケット購入者携帯型端末装置１１のイベント作成者の操作に応じて、イベント作成処理を行う。
当該イベント作成処理は、イベントの内容を記載したイベントウェブページ、並びにチケット購入ページへのリンク作成等の処理を行う。また、ここで、チケット価格等を決定してもよい。
なお、イベント作成者がイベントページの公開、非公開を選択できるようにしてもよい。
【００２１】
ステップＳＴ３：
サーバ１５の処理回路１２５は、イベント作成者の操作に応じて、指定した招待者のメールアドレスに、イベントウェブページへのリンクを入れた招待メールを送信する処理を行う。当該招待メールは、イベント作成者端末装置１３が送信してもよい。
【００２２】
ステップＳＴ４：
招待者は、図３に示すチケット購入者携帯型端末装置１１の通信部２１を介して受信した上記招待メールに含まれるイベントウェブページにアクセスを行い、ディスプレイ２２に表示された画面上でイベント内容を確認する。
【００２３】
ステップＳＴ５：
次に、招待者は、イベントのチケット購入を希望する場合に、イベントウェブページにリンクが表示されたチケット購入ページにアクセスを行い、チケット購入決済処理を行う。
このとき、サーバ１５は、例えば、チケット購入者と、イベント作成者の双方への課金処理を行う。
そして、サーバ１５の処理回路１２５は、当該イベントのチケットデータを作成し、これをチケット購入者携帯型端末装置１１に送信する。
また、処理回路１２５は、チケット購入者のＩＤ等の情報を、当該イベントと関連付けてデータベース１２７に登録する。
また、チケット購入者携帯型端末装置１１は、サーバ１５から受信したチケットデータをメモリ２４に書き込む。
【００２４】
ステップＳＴ６：
チケット購入者は、イベント当日にイベント会場の入り口等で、チケット購入者携帯型端末装置１１の操作部２３を操作して、メモリ２４に記憶されているチケット処理アプリケーションプログラムを起動する。
当該起動により、メモリ２４に記憶されているチケットデータが、チケット処理アプリケーションプログラムに読み込まれる。
そして、チケット購入者携帯型端末装置１１の処理回路２５は、チケット処理アプリケーションプログラムの処理に応じて、図６のＡに示すように、チケット画面をディスプレイ２２に表示する。
なお、サーバ１５からチケット購入者携帯型端末装置１１へのチケットデータの送信は、ステップＳＴ５ではなく、ステップＳＴ６で行ってもよい。
【００２５】
ステップＳＴ７：
イベントのスタッフは、ステップＳＴ６でチケット購入者携帯型端末装置１１のディスプレイ２２に表示されたチケット画面上で、図６のＡに示すパターン３０１に沿って、指を移動する。当該パターン３０１は、ディスプレイ２２のタッチパネル機能で検出され、処理回路２５に出力される。
処理回路２５は、上記パターン３０１と、予め記憶されているもぎりパターンとを比較して一致するか否かを判断し、一致し、かつメモリ２４に記憶されているステータスデータが未もぎり処理を示すと判断した場合にもぎり処理を行う。
処理回路２５は、もぎり処理として、メモリ２４に記憶されているステータスデータを入場処理済みを示すように更新する処理、画面を図６のＡから図６のＢに示す商品・サービスのクーポン券表示画面や抽選番号表示画面に遷移させる処理を行う。
このとき、誤ってもぎってしまう事を防止する為に、もぎり後に入場するか否かを問うアラート表示を行う。
ステータスデータは、入場処理済か否か、並びに入場処理済の場合には入場時刻等の情報を示している。
【００２６】
なお、誤ってもぎり処理をしてしまうことを防止するために、処理回路２５は、もぎり処理開始前に、「もぎり後に入場を行う等」のアラート画面をディスプレイ２２に表示し、ｙｅｓの操作が行われたことを条件にもぎり処理を開始してもよい。
ステップＳＴ７において、処理回路２５は、サーバ１５と通信を行う必要はない。
また、処理回路２５は、もぎり処理として、チケットを切る音を出力したり、所定のパターンでチケット購入者携帯型端末装置１１を振動させる処理を行ってもよい。
【００２７】
ステップＳＴ８：
チケット購入者携帯型端末装置１１の処理回路２５は、通信部２１がサーバ１５と通信可能な状態であり、かつステータスデータが更新されたと判断すると、メモリ２４からステータスデータを読み出してサーバ１５に送信する。
【００２８】
以上説明したように、チケット処理システム１によれば、イベントの会場でチケット処理をする際に、チケット購入者携帯型端末装置１１はサーバ１５と通信を行う必要がない。
すなわち、イベント会場でもぎり処理（チケット処理）を行った後は、メモリ２４に記憶されたステータスデータが入場処理済みとなるため、再度、使おうとしても、ステップＳＴ７で使用済と判断できるため、不正利用を防止できる。
また、ステップＳＴ８に示すように、チケット購入者携帯型端末装置１１がサーバ１５と通信可能になったときに、ステータスデータをチケット購入者のＩＤと共にサーバ１５に送信するため、サーバ１５はチケット購入者のチケット利用状況を把握できる。
また、チケット処理システム１では、イベント会場でチケットデータを読み取るためのリーダが不要であり、リーダなしでデジタルのチケットデータを扱うことができる。また、イベント会場で通信環境が整備されていれば、サーバ１５はもぎり処理結果をリアルタイムに取得できる。
【００２９】
＜第２実施形態＞
図７は、本発明の第２実施形態のチケット処理システム１の動作例を説明するためのフローチャートである。
本実施形態のチケット処理システム１は、図７に示すステップＳＴ１〜ＳＴ６の処理は、基本的に第１実施形態と同様であるが、ステップＳ７ａの処理が異なる。
本実施形態では、ステップＳＴ７ａのもぎり処理において、以下に示すように、チケット購入者携帯型端末装置１１とサーバ１５とで通信を行い、チケットデータの有効性をサーバ１５で認証し、その結果がチケット購入者携帯型端末装置１１に送信される。
【００３０】
そして、チケット購入者携帯型端末装置１１は、チケットデータが有効であると判断した場合にのみ、もぎり処理を有効化、あるいはもぎり処理を許可する。
これにより、一人のユーザが複数のチケット購入者携帯型端末装置１１を保有し、それぞれにチケットデータをダウンロードさせて複数人で不正利用することを防止できる。
【００３１】
＜第３実施形態＞
図８は、本発明の第３実施形態におけるもぎり位置を説明するための図である。
本実施形態では、図５および図７に示すステップＳＴ２におけるイベント作成処理において、サーバ１５の処理回路１２５は、チケット購入者携帯型端末装置１１のイベント作成者の操作に応じて、図８に示すように、チケット購入者携帯型端末装置１１のディスプレイ２２の画面５１０上のもぎり位置５１２を指定するもぎり位置指示を入力すると、当該指定されたもぎり位置を示すもぎり位置データをメモリ２４に記憶する。
そして、チケット購入者携帯型端末装置１１の処理回路２５は、図５に示すステップＳＴ７あるいは図７に示すステップＳＴ７ａのもぎり処理において、メモリ２４から読み出したもぎり位置データに基づいて、画面上に表示されたチケット画像の被もぎり領域５１４内（もぎり位置より画面上方の領域）で、前記所定のパターンの移動経路が存在することを検出すると、当該チケットデータの入場処理済みを示すようにステータスデータを更新する。
また、処理回路２５は、上記所定のパターンの移動経路が存在することを検出すると、画面５１０上の被もぎり領域５１４内の画像を、もぎり処理前の画像からもぎり処理後の画像に更新する。
処理回路２５は、上記もぎり処理の前後で、半券領域５１６には同じ画像を表示する。
【００３２】
このとき、チケット購入者携帯型端末装置１１のメモリ２４には、上記所定のパタートとして複数のもぎりパターンが記憶されており、当該複数のパターンの各々に前記もぎり処理後に表示する画像が対応付けて記憶されている。
処理回路２５は、検出したパターン３０１と、予め記憶されている上記複数のもぎりパターンとを比較して、いずれかと一致するか否かを判断し、一致し、かつメモリ２４に記憶されているステータスデータが未もぎり処理を示すと判断した場合にもぎり処理を行う。
【００３３】
なお、処理回路２５は、パターン３０１が一致したもぎりパターンの識別情報と、チケットデータの識別情報とを対応付けてメモリ１２４に記憶する。
そして、処理回路２５は、パターン３０１が、上記複数のもぎりパターンのいずれと一致したかを示す情報も記憶する。
処理回路２５は、例えば、上記複数のもぎりパターンの各々にもぎり処理後の画像データが対応付けられている場合に、当該対応付けられたもぎり処理後の画像データに応じた画像をディスプレイ２２の被もぎり領域５１４に表示する。
【００３４】
イベントのスタッフは、視覚的に把握可能なチケット保有者の属性を見て、各属性に事前に対応付けられたもぎりパターンでもぎり操作を行う。これにより、チケットデータから得られた保有者の属性を、当該チケットデータに対応付けて把握することが可能になる。
【００３５】
本実施形態では、例えば、チケットデータには購入者の顔写真データが含まれていてもよい。
そのため、処理回路２５は、ステップＳＴ７あるいはＳＴ７ａにおいて、チケット処理アプリケーションプログラムに基づいて、前記チケットデータに含まれる前記顔写真データを画面５１０上の半券表示領域５１６に表示してもよい。
このようにすることで、もぎり処理時に担当者が半券表示領域５１６に表示される顔写真と利用者の顔とを見比べて不一致の場合は正規の利用者ではないと判断できる。これにより、利用者間でチケットデータを不正に売買することを効果的に抑制できる。
【００３６】
＜第４実施形態＞
図５および図７に示すステップＳＴ７，ＳＴ７ａのもぎり処理において、タッチパネルであるディスプレイ２２（操作部２３）からのユーザの指等の画面５１０上における接触位置に応じた座標データ（Ｘ、Ｙ）がメモリ２４に順次記憶される。
図８に示すように、画面５１０上には、予めＸ、Ｙ座標が規定されている。
【００３７】
図９は、本発明の第４実施形態のもぎり操作検出処理を説明するためのフローチャートである。
ステップＳＴ２１：
処理回路２５は、ユーザが指等で画面５１０上の連続して接触して行った操作に応じて入力した座標データ（Ｘ，Ｙ）が、第３実施形態で規定した被もぎり領域５１４内の位置を示しているか否かを判断し、肯定判定の場合にステップＳＴ２２に進む。
当該操作は、ユーザが指等で最初に画面５１０上に接触してから、その接触状態を維持しながら、画面５１０上を移動するものである。
なお、処理回路１２５は、入力した座標データ（Ｘ，Ｙ）が半券領域５１６に入った場合は、否定判定を行い、もぎり操作と判定しない。
【００３８】
ステップＳＴ２２：
処理回路２５は、ステップＳＴ２１で入力した座標データＸ（画面５１０の水平方向）が、「０」（すなわち、画面５１０の水平方向の左端）に達した場合に肯定判定し、ステップＳＴ２３に進む。それ以外の場合は、否定判定し、もぎり操作と判定しない。
【００３９】
ステップＳＴ２３：
処理回路２５は、ステップＳＴ２１で入力した座標データＹ（画面５１０の水平方向）が、上記操作の過程において減少していないか否かを判断し、肯定判定の場合はステップＳＴ２４に進む。それ以外の場合は、否定判定し、もぎり操作と判定しない。
【００４０】
ステップＳＴ２４：
処理回路２５は、ステップＳＴ２１で最初に座標データ（Ｘ，Ｙ）を入力した第１のタイミング（ユーザが画面５１０に最初に触れたタイミング）と、ステップＳＴ２２で座標データＸが「０」に達したと判定された第２のタイミングとの間を、所定の時間間隔に分割する。
そして、処理回路２５は、当該分割された時間間隔の各時間内における座標データ（Ｘ，Ｙ）の変化量を算出する。
【００４１】
ステップＳＴ２５：
処理回路２５は、ステップＳＴ２４で算出した各時間の変化量が、予め決められた基準以上であるか否かを判定し、肯定判定の場合にステップＳＴ２６に進む。それ以外の場合は、否定判定し、もぎり操作と判定しない。これは、もぎり操作が、一定以上のスピードで、ユーザが画面上の指接触位置を移動させて行われることを考慮して、これを高精度に検出できるようにした。
【００４２】
ステップＳＴ２６：
処理回路２５は、もぎり操作が行われたと判定する。
【００４３】
本実施形態では、実際のリアルなチケットのもぎり操作、すなわち本券（被もぎり領域５１４に対応）側を指でもって、もぎり線から離れる向きに指を移動させる操作と類似した操作を画面５１０上でユーザが行った場合にのみ、それをもぎり操作として高精度に検出できる。
すなわち、チケット処理システム１によれば、リアルなもぎり操作と類似した擬似的なもぎり操作を、画面５１０上のユーザの指の移動経路に基づいて高精度に検出できる。
【００４４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００４５】
例えば、チケット購入者携帯型端末装置１１は、チケット処理アプリケーションプログラムを起動し、当該プログラムに従ってサーバ１５にアクセスを行い、チケット購入処理を行ってもよい。
【００４６】
上述した実施形態では、チケット購入者携帯型端末装置１１におけるチケットデータの入場処理を、チケット購入者携帯型端末装置１１の画面上の指の移動軌跡に応じたもぎり操作をトリガーとして開始したが、入力された音声が所定の条件を満たすか否かを検出し、それをトリガーとしてもよい。
【００４７】
また、チケット処理システム１において、所定のチケット購入者が取得したチケットデータを他の人に譲渡することを可能にしてもよい。例えば、あるユーザのチケット購入者携帯型端末装置１１に記憶されたチケットデータを、他のユーザのチケット購入者携帯型端末装置１１に送信した場合でも、使用可能にしてもよい。
【００４８】
また、チケット購入者携帯型端末装置１１において、もぎり処理を完了してステータスデータが入場処理済みとなった後に、再入場を可能にするために、再入場可能設定にし、再入場時にイベントスタッフのみが知るパスワードを入力するようにしてもよい。
【００４９】
また、入場処理時にチケット購入者携帯型端末装置１１にダウンロードされたクーポン券データは、ユーザが当該データに応じたクーポン画面を会場内で表示することで、クーポン券に応じた商品やサービスの提供を受けることができる。
【００５０】
また、図１に示すように、サーバ１５は、イベント開催中に、イベント参加者のみが投稿可能なチャットルールをウェブサイト上に作成してもよい。
【００５１】
また、サーバ１５は、チケットデータと共に、当該チケットデータに係るイベントに関連するコンテンツデータまたはコンテンツプログラムをチケット購入者携帯型端末装置１１にダウンロードする。
そして、チケット購入者携帯型端末装置１１がもぎり操作を検出すると、上記ダウンロードされたコンテンツデータまたはコンテンツプログラムの使用履歴データをサーバ１５に送信する処理を行うようにしてもよい。
【産業上の利用可能性】
【００５２】
本発明は、イベント等のチケット発券処理等を行うチケット処理システムに適用可能である。
【符号の説明】
【００５３】
１…チケット処理システム
１１…チケット購入者携帯型端末装置
１３…イベント作成者端末装置
１５…サーバ
【図１】
2014149556.tif 000003
【図２】
2014149556.tif 000004
【図３】
2014149556.tif 000005
【図４】
2014149556.tif 000006
【図５】
2014149556.tif 000007
【図６】
2014149556.tif 000008
【図７】
2014149556.tif 000009
【図８】
2014149556.tif 000010
【図９】
2014149556.tif 000011
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
チケットデータをサーバから携帯型端末装置にダウンロードする第１の工程と、
前記携帯型端末装置が、起動したチケット処理アプリケーションプログラムに、前記ダウンロードしたチケットデータを取り込む第２の工程と、
前記携帯型端末装置が、前記チケット処理アプリケーションプログラムに基づいて、前記チケットデータに応じた画像を画面表示する第３の工程と、
前記携帯型端末装置が、前記第３の工程で画像を表示した画面上でユーザの指の接触位置の移動経路が予め決められた所定のパターンであると判断したことを条件に前記画面上で予め決められた所定の操作を検出し、当該検出を条件に当該チケットデータの使用履歴を示すステータスデータを更新するためのもぎり処理を行う第４の工程と
を有し、
前記所定のパターンとして複数のパターンが規定され、当該複数のパターンの各々に前記もぎり処理後に表示する画像が対応付けられており、
前記第４の工程においては、
前記携帯型端末装置は、画面上において予め規定されたもぎり位置を基に当該画面上に規定された被もぎり領域内で、前記所定のパターンの移動経路が存在することを検出すると、前記ステータスデータを更新するための処理を行い、
前記所定のパターンの移動経路が存在することを検出すると、前記被もぎり領域内の画像を、もぎり処理前の画像から、当該検出された所定のパターンに対応付けられた前記もぎり処理後の画像に更新する
チケット処理方法。
【請求項２】
画面上の触れられた箇所の座標を検出するタッチパネルと、前記タッチパネルで検出された座標を基に、入力操作を特定し、当該特定した入力操作に応じた処理を行う制御回路とを有する携帯型端末装置にダウンロードされるプログラムであって、
チケットデータをサーバから前記携帯型端末装置にダウンロードする第１の工程と、
所定の入力操作に応じて、前記チケットデータに応じた画像を画面表示する第２の工程と、
前記第３の工程で画像を表示した画面上でユーザの指の接触位置の移動経路が予め決められた所定のパターンであると判断したことを条件に前記画面上で予め決められた所定の操作を検出し、当該検出を条件に当該チケットデータの使用履歴を示すステータスデータを更新するためのもぎり処理を行う第３の工程と
を前記携帯型端末装置の前記制御回路に実行させるプログラムであって、
前記所定のパターンとして複数のパターンが規定され、当該複数のパターンの各々に前記もぎり処理後に表示する画像が対応付けられており、
前記第３の工程においては、
画面上において予め規定されたもぎり位置を基に当該画面上に規定された被もぎり領域内で、前記所定のパターンの移動経路が存在することを検出すると、前記ステータスデータを更新するための処理と、
前記所定のパターンの移動経路が存在することを検出すると、前記被もぎり領域内の画像を、もぎり処理前の画像から、当該検出された所定のパターンに対応付けられた前記もぎり処理後の画像に更新する処理と
を前記制御回路に実行させるプログラム。
【請求項３】
前記チケットデータには、当該チケットデータの購入者の顔写真データが含まれており、
前記第２の工程において、前記携帯型端末装置は、前記チケット処理アプリケーションプログラムに基づいて、前記チケットデータに含まれる前記顔写真データを前記画面上の半券表示領域に表示する処理を前記携帯型端末装置の前記制御回路に実行させる
請求項２に記載のプログラム。
【請求項４】
前記第３の工程において、
前記画面上でユーザの指の接触位置の移動経路が、予め決められた複数の所定のパターンのいずれかであると判断した場合に、前記所定の操作が行われたことを検出し、
前記所定の操作が行われたと検出した場合に、検出対象のチケットデータに対応付けて、当該チケットデータに応じていずれの前記所定のパターンが検出されたかを記憶する
処理を前記携帯型端末装置の前記制御回路に実行させる
請求項２に記載のプログラム。
【請求項５】
前記第１の工程で、前記チケットデータと共に、当該チケットデータに係るイベントに関連するコンテンツデータまたはコンテンツプログラムをサーバから前記携帯型端末装置にダウンロードし、
前記携帯型端末装置が、前記第３の工程で前記所定の操作を検出すると、前記ダウンロードされた前記コンテンツデータまたは前記コンテンツプログラムの使用履歴データを前記サーバに送信する処理を
前記携帯型端末装置の前記制御回路に実行させる
請求項２に記載のプログラム。
【請求項６】
前記携帯型端末装置は、
画面上の触れられた箇所の座標を検出するタッチパネルと、
前記タッチパネルで検出された座標を基に、入力操作を特定し、当該特定した入力操作に応じた処理を行う制御回路と
を有し、
前記タッチパネルで検出された２次元上の直交する２方向の第１の座標と第２の座標とで検出座標が規定されている場合に、
前記第３の工程において、
前記検出座標が、もぎり領域として規定された領域内に位置するか否かを判定する第１の処理と、
前記第１の処理で肯定判定の場合に、前記検出座標の前記第１の座標と前記第２の座標との双方が変化したか否かを判定する第２の処理と、
前記第２の処理で肯定判定の場合に、前記第１の座標が、前記タッチパネルの当該第１の座標が規定される方向の一端部の座標に最終的になったか否かを判定する第３の処理と、
前記第３の処理で肯定判定の場合に、前記第１の処理で最初に肯定判定となった前記検出座標が検出された第１のタイミングと、前記第３の処理で判定された前記第１の座標が前記一端部の座標になった第２のタイミングとの間に、所定の時間間隔に分割し、分割された時間間隔における前記検出座標の変化量を算出する第４の処理と、
前記第４の処理で算出した分割された全ての時間間隔における前記変化量が所定のしきい値を超えているか否かを判定する第５の処理と
前記第５の処理で肯定判定の場合に、もぎり操作として特定する第６の処理と
を前記携帯型端末装置の前記制御回路に実行させる
請求項２に記載のプログラム。
【手続補正２】
【補正対象書類名】明細書
【補正対象項目名】０００５
【補正方法】変更
【補正の内容】
【０００５】
上述した従来技術の問題を解決し、上述した目的を達成するために、本発明のチケット処理方法は、チケットデータをサーバから携帯型端末装置にダウンロードする第１の工程と、前記携帯型端末装置が、起動したチケット処理アプリケーションプログラムに、前記ダウンロードしたチケットデータを取り込む第２の工程と、前記携帯型端末装置が、前記チケット処理アプリケーションプログラムに基づいて、前記チケットデータに応じた画像を画面表示する第３の工程と、前記携帯型端末装置が、前記第３の工程で画像を表示した画面上でユーザの指の接触位置の移動経路が予め決められた所定のパターンであると判断したことを条件に前記画面上で予め決められた所定の操作を検出し、当該検出を条件に当該チケットデータの使用履歴を示すステータスデータを更新するためのもぎり処理を行う第４の工程とを有し、前記所定のパターンとして複数のパターンが規定され、当該複数のパターンの各々に前記もぎり処理後に表示する画像が対応付けられており、前記第４の工程においては、前記携帯型端末装置は、画面上において予め規定されたもぎり位置を基に当該画面上に規定された被もぎり領域内で、前記所定のパターンの移動経路が存在することを検出すると、前記ステータスデータを更新するための処理を行い、前記所定のパターンの移動経路が存在することを検出すると、前記被もぎり領域内の画像を、もぎり処理前の画像から、当該検出された所定のパターンに対応付けられた前記もぎり処理後の画像に更新する。
【手続補正３】
【補正対象書類名】明細書
【補正対象項目名】０００６
【補正方法】変更
【補正の内容】
【０００６】
本発明のプログラムは、画面上の触れられた箇所の座標を検出するタッチパネルと、前記タッチパネルで検出された座標を基に、入力操作を特定し、当該特定した入力操作に応じた処理を行う制御回路とを有する携帯型端末装置にダウンロードされるプログラムであって、チケットデータをサーバから前記携帯型端末装置にダウンロードする第１の工程と、所定の入力操作に応じて、前記チケットデータに応じた画像を画面表示する第２の工程と、前記第３の工程で画像を表示した画面上でユーザの指の接触位置の移動経路が予め決められた所定のパターンであると判断したことを条件に前記画面上で予め決められた所定の操作を検出し、当該検出を条件に当該チケットデータの使用履歴を示すステータスデータを更新するためのもぎり処理を行う第３の工程とを前記携帯型端末装置の前記制御回路に実行させるプログラムであって、前記所定のパターンとして複数のパターンが規定され、当該複数のパターンの各々に前記もぎり処理後に表示する画像が対応付けられており、前記第３の工程においては、画面上において予め規定されたもぎり位置を基に当該画面上に規定された被もぎり領域内で、前記所定のパターンの移動経路が存在することを検出すると、前記ステータスデータを更新するための処理と、前記所定のパターンの移動経路が存在することを検出すると、前記被もぎり領域内の画像を、もぎり処理前の画像から、当該検出された所定のパターンに対応付けられた前記もぎり処理後の画像に更新する処理とを前記制御回路に実行させる。